(57)【要約】【課題】  浸水被害の軽減に寄与する下水道マンホールを提供する。【解決手段】流入管５と流出管６を接続し、底部にインバート９を有する下水道マンホールであって、マンホールの前記流出管６側に、下部には前記インバート９との間にオリフィス１６を形成し、上部を雨水が越流する隔壁１２を設置することにより雨水貯留機能を持たせることにある。【選択図】  図３
2005248424.tif 000002
【特許請求の範囲】
【請求項１】
（１）流入管と流出管を接続し、底部にインバートを有する下水道マンホールであって、マンホールの前記流出管側に、下部には前記インバートとの間にオリフィスを形成し、上部を雨水が越流する隔壁を設置したことを特徴とする下水道マンホール。
【請求項２】
（２）流入管と流出管を接続し、底部にインバートを有する下水道マンホールであって、マンホール本体の前記流出管側上部に設けた流出口と前記流出管と繋ぐバイパス管を設置するとともに、マンホールの前記流出管の入口に、前記インバートとの間にオリフィスを形成する仕切板を設置したことを特徴とする下水道マンホール。
【発明の詳細な説明】
【技術分野】
【０００１】
この発明は、主に浸水対策のための雨水貯留機能を有した下水道マンホールに関する。
【背景技術】
【０００２】
従来の下水道マンホール（以下、マンホールという）は雨水を貯留する機能を持たず、雨天時、上流から流れてきた雨水をそのまま流下させるようになっている。これは通常の地形では何ら問題ないものである。
【発明の開示】
【発明が解決しようとする課題】
【０００３】
しかし、地表面の勾配が急な地形（以下、急坂路という）では下水道管の埋設深さの関係から平坦な地形（以下、平坦地という）に比べ急な勾配で下水道管が布設されており、
【０００４】
そのため、図１の下水道管の縦断面図に示すように、急坂路から平坦地に移る箇所で、豪雨時に急坂路の下水道管を急流速で流れてきた雨水が一気に平坦地のマンホールに流れ込むことになり、一時的に下流側の下水道管の流下能力を超え、マンホールなどから雨水が噴出し、その付近に浸水被害を引き起こすことがしばしばある。
【０００５】
そこで、この発明は上記課題に鑑み、浸水被害の軽減に寄与する下水道マンホールを提供することを課題としている。
【課題を解決するための手段】
【０００６】
上記課題を達成するために、本発明にかかる下水道マンホールは、急坂路に設置するマンホールであって、急坂路では下水道管の埋設深さの関係から平坦地と比較するとマンホールの設置間隔が狭く、相対的にマンホール数は一般に多くなっていること及び副管を併設していることに着目し、豪雨時の浸水対策として、急坂路に設置するマンホールを雨水の流下を一定量制限する次の（１）又は（２）の構造とすることにより、急坂路のマンホール、副管及び下水道管に雨水貯留機能を持たせることにある。
【０００７】
（１）流入管と流出管を接続し、底部にインバートを有する下水道マンホールであって、マンホールの前記流出管側に、下部には前記インバートとの間にオリフィスを形成し、上部を雨水が越流する隔壁を設置したことにある（請求項１）。（以下、タイプ１マンホールという）
【０００８】
（２）流入管と流出管を接続し、底部にインバートを有する下水道マンホールであって、マンホール本体の前記流出管側上部に設けた流出口と前記流出管と繋ぐバイパス管を設置するとともに、マンホールの前記流出管の入口に、前記インバートとの間にオリフィスを形成する仕切板を設置したことにある（請求項２）。（以下、タイプ２マンホールという）
【発明の効果】
【０００９】
この発明によれば、対象となる急坂路に設置するマンホールをこの雨水貯留機能を持ったマンホールとすることにより、豪雨時、急坂路に設置したマンホール、副官及び下水道管が雨水貯留効果を発揮し、雨水が急流速で一時的に集中して平坦地のマンホールへ流れ込むのを抑制できることから、平坦地のマンホールでの雨水の噴出を防ぎ、浸水被害を軽減することができる。
【発明を実施するための最良の形態】
【００１０】
以下、実施例を図面にもとづいて説明する。
【実施例１】
【００１１】
図２、図３及び図５において、マンホール本体８内に雨水貯留のための隔壁１２を設置したタイプ１マンホール２の実施例が示されており、隔壁１２は、下部にはインバート９との間に雨水の流下制限をするオリフィス１６を形成するための仕切板a１３を有し、上部は雨水の越流させる構造となっており、マンホール本体８の壁に固定された隔壁受ガイド１８に沿って流出管入口７を囲うようにアーチ状に設置されている。
【００１２】
仕切板a１３は、仕切板引上ロッド１４を付属し、隔壁１２に取り付けられた仕切板ガイド１９及び仕切板引上ロッドガイド２０に沿って設置され、必要に応じて引き上げることができる構造となっている。
【００１３】
図４において、オリフィス１６の正面図を示しており、オリフィス開口率の調整のため、仕切板a１３に上下にスライドできるオリフィス開口率調整板１７を設置し、所定の位置で固定ネジ２１により固定されている。
【００１４】
オリフィス１６が夾雑物により閉塞した場合、維持管理作業時に、図3に示すように、マンホール２外に設置した引上治具２２により、仕切板a１３を所定の高さまで引き上げることができる。
【００１５】
また、隔壁１２は、マンホール２内での維持管理作業時には必要に応じて、その全体を一時取り去ることができる構造となっている。
【実施例２】
【００１６】
図６、図７及び図８において、マンホール本体８の流出管側上部に設けた流出口２３と流出管６と繋ぐバイパス管２４を設置するとともに、マンホール内の流出管入口７に、インバート９との間に雨水の流下制限をするオリフィス１６を形成する仕切板b１５を設置したタイプ２マンホール３の実施例が示されている。
【００１７】
仕切板b１５は、マンホール本体８の壁に取り付けられた仕切板ガイド１９に沿って設置され、必要に応じて引き上げることができる構造とする。
【００１８】
オリフィス開口率の調整については、実施例１と同様に、仕切板b１５に上下にスライドできるオリフィス開口率調整板１７を設置し、所定の位置で固定ネジ２１により固定されている。
【００１９】
オリフィス１６が夾雑物により閉塞した場合、維持管理作業時に、図7及び図8に示すように、引上索２５により仕切板b１５を所定の高さまで引き上げることができる。
【００２０】
図９及び図１０は、いずれも急坂路から平坦地に移る箇所の下水道管４の縦断面図で、急坂路に設置するマンホールを図9にあってはタイプ１マンホール２に、図１０にあってはタイプ２マンホール３とすることにより、豪雨時、急坂路に設置したマンホール、副官及び下水道管が雨水貯留効果を発揮し、一時的に集中して雨水２６が平坦地のマンホール１へ流れ込むのを抑制でき、雨水の噴出を防いでいる様子を示している。
【図面の簡単な説明】
【００２１】
【図１】豪雨時に平坦地のマンホールに急流速の雨水が一気に流れ込み、噴出している様子を示す下水道管縦断面図である。
【図２】この発明の第1の実施例を示すタイプ１マンホール２の平面図である。
【図３】同上のＡ−Ａ断面を示す断面図である。
【図４】同上のＢ−Ｂ断面図でオリフィス１６部分を示す。
【図５】同上の全体を示す斜視図である。
【図６】この発明の第２の実施例を示すタイプ２マンホール３の平面図である。
【図７】同上のＡ−Ａ断面を示す断面図である。
【図８】同上の全体を示す斜視図である。
【図９】この発明の第1の実施例に基づく効果を示す下水道管縦断面図である。
【図１０】この発明の第２の実施例に基づく効果を示す下水道管縦断面図である。
【符号の説明】
【００２２】
１  マンホール
２  タイプ１マンホール
３  タイプ２マンホール
４  下水道管
５  流入管
６  流出管
７  流出管入口
８  マンホール本体
９  インバート
１０  副管
１１  マンホール蓋
１２  隔壁（タイプ１マンホール用）
１３  仕切板a（タイプ１マンホール用）
１４  仕切板引上ロッド（タイプ１マンホール用）
１５  仕切板b（タイプ２マンホール用）
１６  オリフィス
１７  オリフィス開口率調整板
１８  隔壁受ガイド（タイプ１マンホール用）
１９  仕切板ガイド
２０  仕切板引上ロッドガイド（タイプ１マンホール用）
２１  オリフィス開口率調整板固定ネジ
２２  仕切板引上治具（タイプ２マンホール用）
２３  流出口（タイプ２マンホール用）
２４  バイパス管（タイプ２マンホール用）
２５  仕切板引上索（タイプ２マンホール用）
２６  雨水
【図１】
2005248424.tif 000003
【図２】
2005248424.tif 000004
【図３】
2005248424.tif 000005
【図４】
2005248424.tif 000006
【図５】
2005248424.tif 000007
【図６】
2005248424.tif 000008
【図７】
2005248424.tif 000009
【図８】
2005248424.tif 000010
【図９】
2005248424.tif 000011
【図１０】
2005248424.tif 000012